(57)【特許請求の範囲】
【請求項１】
情報を表示する表示装置であって、
情報を表示する表示部と、
マトリックス状に配置した複数の圧力センサから成る圧力センサアレイ部と、
表示する情報をページ送りする速度を制御する制御部とを備え、
前記圧力センサアレイ部は、圧力の変化を前記表示装置の位置とともに、前記制御部へ出力し、
前記制御部は、前記位置に応じた速度で、ページ送りを行い、
前記表示装置の曲がり位置が、前記表示装置の一端に近い位置である場合、表示する情報のページ送りの速度を速くし、他端に近い位置である場合、遅くすることを特徴とする表示装置。
【請求項２】
前記圧力センサアレイ部は、
前記表示装置が曲がる方向が、左右方向、上下方向、斜め方向のいずれの方向であっても、表示装置が曲がったことを検出可能であることを特徴とする請求項１に記載の表示装置。
【請求項３】
前記圧力センサアレイ部は、
前記表示装置の端が手前側に曲がるか奥に曲がるかによって、ページを送る方向を変更可能であることを特徴とする請求項２に記載の表示装置。
【請求項４】
情報を表示する表示ステップと、
筺体の曲がりを検出する曲がり検出ステップと、
表示する情報をスクロールする表示制御ステップを持つ表示装置において、
前記曲がり検出ステップによって検出された筺体の曲がり場所に応じた速度で、表示する情報のページ送りを行うことを特徴とする表示方法。
【請求項５】
情報を表示する表示装置であって、
前記表示装置は、
情報を表示する表示部と、
マトリックス状に配置した複数の圧力センサから成る圧力センサアレイ部と、
情報の表示を制御する制御部とを備え、
前記圧力センサアレイ部は、
前記表示装置が曲がる方向が、左右方向、上下方向、斜め方向のいずれの方向であっても、表示装置が曲がったことを検出可能であり、
前記制御部は、前記圧力センサアレイ部の検出に基づいて、前記表示装置が曲がる方向に表示する情報のページ送りを行い、
前記圧力センサアレイ部は、前記表示装置の曲がり位置を検出し、
前記表示装置が曲がる方向が左右方向であり、
表示する情報が横書きの場合、前記制御部は前記表示装置の曲がり位置の右側をページ送りし、表示する情報が縦書きの場合、前記制御部は前記表示装置の曲がり位置の左側をページ送りすることを特徴とする表示装置。
【請求項６】
前記制御部は、前記圧力センサアレイ部の検出した前記曲がり位置に応じて決められた速度で、表示する情報のページ送りを行うことを特徴とする請求項５に記載の表示装置。
【請求項７】
前記圧力センサアレイ部は、
前記表示装置の端が手前側に曲がるか奥に曲がるかによって、ページを送る方向を変更可能であることを特徴とする請求項６に記載の表示装置。
【請求項８】
情報を表示する表示装置の表示方法であって、
情報を表示する表示ステップと、
前記表示装置が曲がる方向が、左右方向、上下方向、斜め方向のいずれの方向であっても、表示装置が曲がったことを検出する検出ステップと、
情報の表示を制御し、前記検出ステップの検出に基づいて、前記表示装置が曲がる方向に表示する情報のページ送りを行う表示制御ステップとを含み、
前記検出ステップは、前記表示装置の曲がり位置を検出し、
前記表示装置が曲がる方向が左右方向であり、
表示する情報が横書きの場合、表示制御ステップは前記表示装置の曲がり位置の右側をページ送りし、表示する情報が縦書きの場合、表示制御ステップは前記表示装置の曲がり位置の左側をページ送りすることを特徴とする表示方法。
【請求項９】
情報を表示する表示装置であって、
前記表示装置は、
情報を表示する表示部と、
マトリックス状に配置した複数の圧力センサから成る圧力センサアレイ部と、
情報の表示を制御する制御部とを備え、
前記圧力センサアレイ部は、
前記表示装置が曲がる方向が、左右方向、上下方向、斜め方向のいずれの方向であっても、表示装置が曲がったことを検出可能であり、
前記制御部は、前記圧力センサアレイ部の検出に基づいて、前記表示装置が曲がる方向に表示する情報のページ送りを行い、
前記圧力センサアレイ部は、前記表示装置の曲がり位置を検出し、
前記制御部は、前記圧力センサアレイ部の検出した前記曲がり位置に応じて決められた速度で、表示する情報のページ送りを行うことを特徴とする表示装置。
【請求項１０】
外部からの接触を検出すると、当該接触に対応づけられている検出信号を出力する接触検出部を更に備え、
前記制御部は、前記曲がり位置および前記接触検出部から取得する検出信号に応じた速度で、前記ページ送りを行うことを特徴とする請求項１から３、請求項５から７および請求項９のいずれか１項に記載の表示装置。
【請求項１１】
前記制御部は、前記ページ送りを行うように制御している際に前記検出信号を取得すると、前記ページ送りを一時停止するように制御することを特徴とする請求項１０に記載の表示装置。
【請求項１２】
前記制御部は、前記ページ送りを一時停止するように制御している際に前記検出信号を取得すると、前記ページ送りを再開するように制御することを特徴とする請求項１１に記載の表示装置。
【請求項１３】
前記接触検出部は、前記接触を検出すると、接触点の数を表す検出信号を出力し、
前記制御部は、前記ページ送りを行うように前記表示部を制御している際に前記検出信号を取得すると、前記検出信号に対応付けられているページ数ごとに前記ページ送りを行うように制御することを特徴とする請求項１０に記載の表示装置。
【発明の詳細な説明】
【技術分野】
【０００１】
本発明は、文字や画像の表示を折り曲げるによって操作することが可能な表示装置に関する。
【背景技術】
【０００２】
従来から表示部分が柔軟に変形可能であるようなフレキシブルディスプレイが、提案されている。フレキシブルディスプレイは、有機ＥＬ素子や液晶素子などの発光材料をプラスチックなどのフィルムではさんだ構造をとり、非常に薄くて軽いことに特徴がある。このため電子書籍や情報携帯装置への応用が期待されている。
【０００３】
特許文献１には、曲げることが可能な表示部を有する可撓操作可能な情報表示端末装置、及び情報表示用インタフェースが開示されている。図１６は、特許文献１のシステムの概要を示す一実施例の全体構成図の説明図である。特許文献１の可撓操作可能な情報表示端末装置、及び情報表示用インタフェースは、情報を表示するための可撓可能に構成されたフレキシブルな表示部１０１と、上記表示部１０１に内蔵され、該表示部１０１の曲げに応じた曲げ量を検知する曲げセンサ１０４と、上記曲げセンサ１０４の検知出力に応じて当該表示部１０１に表示される情報のスクロール速度を制御する画像表示制御部とを有し、表示部１０１の曲げ量に応じたスクロール速度で情報のページ送り表示を行う。
【０００４】
特許文献１によれば、曲げ量によりスクロール速度を自在に連続的に調整しながらページ送りを行うことができる。
【先行技術文献】
【特許文献】
【０００５】
【特許文献１】特開２００９−２０５５６５号公報
【発明の概要】
【発明が解決しようとする課題】
【０００６】
しかしながら特許文献１記載の可撓操作可能な情報表示端末装置、及び情報表示用インタフェースは、表示部を曲げる角度によってページ送りのスクロール速度を変更するものであることから、スクロール速度を連続的に調整とはいえ、所望のスクロール速度に対応した表示部の曲げ角度を直感的に実行するにはかなりの習熟が必要であるという第１の課題がある。
【０００７】
本発明は上記第１の課題を鑑みなされたものであって、その目的は、折り曲げることが可能な表示装置において、表示装置の曲がる場所によって、表示する情報のページ送りの速度を変更することが可能な表示装置を提供することにある。
【０００８】
特許文献１記載の可撓操作可能な情報表示端末装置、及び情報表示用インタフェースは、表示部を左右方向へ曲げることによってページ送りのスクロール速度を変更するものであることから、スクロール速度を連続的に調整とはいえ、上下方向へ曲げることによってページ送りを行うことはできないため、操作し難いという第２の課題がある。
【０００９】
本発明は上記第２の課題を鑑みなされたものであって、その目的は、折り曲げることが可能な表示装置において、表示装置を上下方向または斜め方向へ曲げた場合においても、表示する情報のページ送りを行うことが可能な表示装置を提供することにある。
【課題を解決するための手段】
【００１０】
上記第１の課題を解決するために、本発明の一態様に係る表示装置は、情報を表示する表示装置であって、情報を表示する表示部と、マトリックス状に配置した複数の圧力センサから成る圧力センサアレイ部と、表示する情報をページ送りする速度を制御する制御部とを備え、前記圧力センサアレイ部は、圧力の変化を前記表示装置の位置とともに、前記制御部へ出力し、前記制御部は、前記位置に応じた速度で、ページ送りを行う。
【００１１】
上記第１の課題を解決するために、本発明の一態様に係る表示方法は、情報を表示する表示ステップと、筺体の曲がりを検出する曲がり検出ステップと、表示する情報をスクロールする表示制御ステップを持つ表示装置において、前記曲がり検出ステップによって検出された筺体の曲がり場所に応じた速度で、表示する情報のページ送りを行う。
【００１２】
上記第２の課題を解決するために、本発明の一態様に係る表示装置は、情報を表示する表示装置であって、前記表示装置は、情報を表示する表示部と、マトリックス状に配置した複数の圧力センサから成る圧力センサアレイ部と、情報の表示を制御する制御部とを備え、前記圧力センサアレイ部は、前記表示装置が曲がる方向が、左右方向、上下方向、斜め方向のいずれの方向であっても、表示装置が曲がったことを検出可能であり、前記制御部は、前記圧力センサアレイ部の検出に基づいて、前記表示装置が曲がる方向に表示する情報のページ送りを行う。
【００１３】
上記第２の課題を解決するために、本発明の一態様に係る表示方法は、情報を表示する表示ステップと、筺体の曲がりを検出する曲がり検出ステップと、表示する情報をスクロールする表示制御ステップを持つ表示装置において、前記曲がり検出ステップによる検出結果が、筺体が曲がる方向が左右方向、上下方向、斜め方向のいずれかの方向であった場合に、表示する情報のページ送りを行う。
【発明の効果】
【００１４】
本発明の一態様によれば、表示装置を曲げる場所に応じて、表示する情報のページ送りの速度を変えることができ、操作し易い表示装置が可能になる。
【００１５】
本発明の一態様によれば表示装置を上下方向または斜め方向へ曲げた場合においても、表示する情報のページ送りを行うことができ、操作し易い表示装置が可能になる。
【図面の簡単な説明】
【００１６】
【図１】本発明の第１の実施形態の表示装置の要部構成図である。
【図２】本発明の第１の実施形態の表示装置の正面図である。
【図３】本発明の第１の実施形態の表示装置の動作を説明する図である。
【図４】本発明の第１の実施形態の表示装置の動作の一例を示すフロー図である。
【図５】本発明の第１の実施形態の表示装置の動作を説明する図である。
【図６】本発明の第１の実施形態の表示装置の動作を説明する図である。
【図７】本発明の第２の実施形態の表示装置の動作を説明する図である。
【図８】本発明の第２の実施形態の表示装置の動作の一例を示すフロー図である。
【図９】本発明の第２の実施形態の表示装置の動作を説明する図である。
【図１０】本発明の第２の実施形態の表示装置の動作を説明する図である。
【図１１】本発明の第３の実施形態の表示装置の動作を説明する図である。
【図１２】本発明の第４の実施形態の表示装置の構成の概略を示し、（ａ）は当該表示装置の正面図であり、（ｂ）は当該表示装置の背面図である。
【図１３】本発明の第４の実施形態の表示装置の動作の一例を示すフロー図である。
【図１４】本発明の第５の実施形態の表示装置の動作を説明する図である。
【図１５】本発明の第５の実施形態の表示装置の動作の一例を示すフロー図である。
【図１６】従来技術の可撓操作可能な情報処理装置の全体構成図。
【発明を実施するための形態】
【００１７】
〔第１の実施形態〕
本発明の第１の実施形態の表示装置１を、図１から図５を参照して説明する。図１は、第１の実施形態の表示装置１の発明に係る要部構成図である。図１に示すように第１の実施形態の表示装置１は、文字や画像などを表示する表示部２と、表示部２の表面への圧力を検出する圧力センサをマトリックス状に配置して有する圧力センサアレイ部４と、表示部２および圧力センサアレイ部４を含む表示装置１の各部を制御する制御部５と、表示部２へ表示する電子書籍や、静止画、動画などの画像データやソフトウエアプログラムを格納する記憶部６とを備えている。
【００１８】
図２は、本発明の第１の実施形態の表示装置１の正面図である。第１の実施形態の表示装置１は、表示部２と、圧力センサ３がマトリックス状に配置されている圧力センサアレイ部４と、制御部５を含む電子部品とを収納するプラスチックなどの曲げることが可能な基体７とを備えている。図２に示す圧力センサアレイ部４は、一例として圧力センサ３を６行×５列に配置している。実際には、圧力センサアレイ部４は、更に多くの圧力センサ３を配置しているため、表示部２の表面の圧力変化を細かく検出することが可能である。
【００１９】
第１の実施形態の表示装置１は、使用者によって表示装置１が曲げられた場合に、（ｉ）圧力センサアレイ部４が曲げられた場所を検出し、（ｉｉ）曲げられた場所に応じて予め決められた速度で表示部２に表示しているコンテンツのページ送りを行う。
【００２０】
図３は、本発明の第１の実施形態の表示装置１の動作を説明する図である。図３の上段は、表示装置１が使用者によって曲げられた様子を示している。図３の中段は、図３の上段のように曲げられた場合に、圧力センサアレイ部４が圧力を検出している状態を示している。図３の中段では、説明のために圧力センサアレイ部４の６行×５列のマトリックスの各行に１から６の番号を付加し、各列にＡからＥのアルファベットを付加している。また圧力センサ３が所定の圧力を検出している状態を黒丸で図示し、検出していない状態を白丸で図示している。図３の下段は、表示装置１の表示部２に表示されている電子書籍のページが送られる様子を示している。
【００２１】
図３を更に説明する。図３は、横書きで書かれた電子書籍を表示している様子を示している。使用者が表示装置１の左端に最も近い場所を曲げると、図３(ａ)のようにＡ列の１行から６行の圧力センサが所定の圧力を検出してオンする。圧力センサアレイ部４は、オンした圧力センサを検出し、検出表示装置１の左端に最も近い場所が曲げられたことを検出する。圧力センサアレイ部４からの検出結果を受信した制御部５は表示部２を制御して、電子書籍のような情報のページを送る速度を最も速く制御する。なおこのときコンテンツが送られる表示は、表示装置１が曲げられた場所の右側が送られるように表示する。これは紙製の本をめくる操作を表現したものである。通常、横書きで左側が綴じられている紙製の本をゆっくりめくろうとすると、本の右端から左端に掛けて広い幅を速くめくる操作を行うものである。第１の実施形態の表示装置１は、表示装置１が曲げられた場所の右側が送られるように表示することで、視覚的に自然なページ送りを実現するものである。
【００２２】
また使用者が表示装置１の右端に最も近い場所を曲げると、図３(ｅ)のようにＥ列の１行から６行の圧力センサが所定の圧力を検出してオンする。圧力センサアレイ部４は、オンした圧力センサを検出し、検出表示装置１の右端に最も近い場所が曲げられたことを制御部５へ検出する。圧力センサアレイ部４からの検出結果を受信した制御部５は、表示部２を制御して、電子書籍のような情報のページを送る速度を最も遅く制御する。なおこのときコンテンツが送られる表示は、図３(ａ)の場合と同様に表示装置１が曲げられた場所の右側が送られるように表示する。これは、紙製の本をめくる操作を表現したものである。通常、横書きで左側が綴じられている紙製の本を遅くめくろうとすると、本の右端を短い幅でゆっくりめくる操作を行うものである。第１の実施形態の表示装置１は、表示装置１が曲げられた場所の右側が送られるように表示することで、視覚的に自然なページ送りを実現できる。
【００２３】
また使用者が表示装置１の中央周辺部を曲げた場合も、図３(ｂ)から図３(ｄ)のように曲げた場所に対応した圧力センサが所定の圧力を検出してオンするので、圧力センサアレイ部４が表示装置１の曲げられた場所を検出し、制御部５が表示部２のページ送りの速度を制御する。ここでは曲げた場所が右端から左端に近づくにつれて、ページ送りの速度が速くなるように制御する。なおこの場合もコンテンツが送られる表示は、表示装置１が曲げられた場所の右側が送られるように表示する。
【００２４】
なお図３では、横書きの電子書籍を表示している場合を例として示したが、縦書きの電子書籍を表示している場合は、曲げられた場所の左側が、曲げられた場所に応じて予め決められた速度で送られるように表示する。
【００２５】
図４は、本発明の第１の実施形態の表示装置１の動作の一例を示すフロー図である。図１、図３を参照して図４に示す第１の実施形態の表示装置１の動作を説明する。なお本願のフロー図において、Ｓはステップを意味する。なお図４は、使用者は表示した電子書籍を既にある程度読み進んでいるが具体的なページは覚えておらず、ページ送りを行いながら読んでいない場所を探し、読書を開始する例を示す。
【００２６】
使用者が第１の実施形態の表示装置１を起動し、記憶部６に格納された電子書籍などのコンテンツを表示部２へ表示する(図４で開始)。使用者はページ送りを行うために、例えば図３(ｄ)のように表示装置１を曲げると(Ｓ１)、表示装置１の圧力センサアレイ部４のＤ１からＤ６の各圧力センサ３に圧力が掛かり、各圧力センサ３は掛かった圧力が所定の大きさ以上になるとオンを出力する(Ｓ２)。圧力センサアレイ部４は、圧力センサ３から受信したオンを検出し、オンした圧力センサ３が直線状であった場合、これを検出し制御部５に出力する(Ｓ３でＹｅｓ)。オンした圧力センサ３が直線状ではない場合(Ｓ３でＮｏ)、本フローを終了する。図４は、ページ送りに係る処理フローである。
【００２７】
制御部５は、ステップＳ３で圧力センサアレイ部４から表示装置１の曲げられた場所を受信し、表示部２を制御して、曲げられた場所に応じて予め決められた速度でページ送りを開始する(Ｓ４)。ここで表示装置１の使用者がページ送りの速度を速くするために図３(ａ)に示すように表示装置１の曲げる場所を左端に変更すると(Ｓ５でＹｅｓ)、表示装置１の圧力センサアレイ部４のＡ１からＡ６の各圧力センサ３はオンを出力し(Ｓ２)、圧力センサアレイ部４は表示装置１の曲がる場所が変わったことを検出する。ここではオンした圧力センサ３は直線状であるので(Ｓ３でＹｅｓ)、表示装置１が曲げられた場所が左端である場合に応じて決められた速度でページ送りを行う(Ｓ４)。
【００２８】
表示装置１の使用者が目的のページまでページを送り、表示装置１を開いた状態（平らな状態）にすると(Ｓ６でＹｅｓ)、全ての圧力センサ３はオフするので、表示装置１はページ送りを停止し(Ｓ７)、本フローを終了する。表示装置１の使用者は、停止したページから読書を開始する。
【００２９】
なお上述した例では、表示装置１の曲がる場所は、圧力センサ３が直線状にオンした場所として説明した。圧力センサ３が直線状にオンするとは、上記においてＤ１からＤ６がオンした場合を例としたように列の全てのセンサがオンすることを意味する。つまりＤ１からＤ３がオンした場合は、直線状にオンした状態ではない。本願における表示装置１の曲がる場所は、圧力センサ３が直線状にオンした場所に限定しない。すなわち図３において、Ｅ１からＥ３がオンした場合にも、Ｅ１からＥ６の一列がオンした場合と同様の速度でページを送ることが可能である。ただし、直線状にオンしないと表示装置１が曲がったと判断しないようにすることも設定可能である。
【００３０】
また圧力センサアレイ部４のマトリックスの数を増やした場合、複数の列のセンサがオンすることが考えられる。この場合、オンした複数列の中心の列を表示装置１の曲げられた場所としても良いし、左右いずれかの端の列としてもよい。
【００３１】
第１の実施形態の表示装置１のページ送りとページ戻しを説明する。第１の実施形態の表示装置１は、曲がる方向によって表示するコンテンツのページの送りとページの戻しを変更する。表示装置１の曲がる方向は、使用者が表示装置１の左右を曲げる場合に２つある。すなわち、使用者から見て表示装置１の左右を（ｉ）奥に曲げる方向、および、（ｉｉ）手前に曲げる方向である。表示装置１を奥に曲げる方向は、表示装置１が使用者から見て出っ張る方向とも表現できる。表示装置１を手前に曲げる方向は、表示装置１が使用者から見て引っ込む方向とも表現できる。曲がる方向は、圧力センサアレイ部４が検出する。
【００３２】
先に説明した図３は、表示装置１の左右を奥に曲げ、曲げた場所に応じた速度でコンテンツのページの送りを行うものである。
【００３３】
図５は、第１の実施形態の表示装置１のページ送りとページ戻しを説明する図である。第１の実施形態の表示装置１において、圧力センサアレイ部４は、表示装置１の曲がる方向を検出し、曲がる方向によって表示するコンテンツのページ送りとページ戻しを変更する。例えば、表示装置１は、図５(ａ)のように第１の実施形態の表示装置１の左右を奥に曲げた場合に、コンテンツのページの送りを行う。また、表示装置１は、図５(ｂ)のように第１の実施形態の表示装置１の左右を手前に曲げた場合に、コンテンツのページの戻しを行う。すなわち、圧力センサアレイ部４は、曲がる方向と曲げられた場所とを検出する。制御部５は、圧力センサアレイ部４によって検出された曲がる方向と曲げられた場所とに応じて、予め決められた速度で表示部２に表示しているコンテンツのページ送りまたはページ戻しを行う。
【００３４】
図６は、第１の実施形態の表示装置１のページの戻しの動作をより詳しく説明する図である。表示装置１は、表示装置１の左右を手前に曲げた場合に、曲げた場所に応じた速度でコンテンツのページの戻しを行う。
【００３５】
図６(ａ)のように使用者が表示装置１の左端を支点として表示装置１の左右を手前に曲げると、Ａ列の１行から６行の圧力センサが所定の圧力を検出してオンする。圧力センサアレイ部４は、曲がる方向とオンした圧力センサとを検出し、検出表示装置１の左端に最も近い場所が曲げられたことを検出する。圧力センサアレイ部４からの検出結果を受信した制御部５は、表示部２を制御して、電子書籍のような情報のページを戻す速度を最も速く制御する。
【００３６】
図６(ｅ)のように使用者が表示装置１の右端を支点として左右を手前に曲げると、Ｅ列の１行から６行の圧力センサが所定の圧力を検出してオンする。圧力センサアレイ部４は、曲がる方向とオンした圧力センサとを検出し、検出表示装置１の右端に最も近い場所が曲げられたことを検出する。圧力センサアレイ部４からの検出結果を受信した制御部５は、表示部２を制御して、電子書籍のような情報のページを戻す速度を最も遅く制御する。
【００３７】
図６（ａ）〜（ｅ）に示すように、使用者によって曲げられた場所が表示装置１の左端に近づくほど、制御部５は、ページを戻す速度を速くするように表示部２を制御し、使用者によって曲げられた場所が表示装置１の右端に近づくほど、制御部５は、ページを戻す速度を遅くするように表示部２を制御する。
【００３８】
以上、説明したように本発明の第１の実施形態の表示装置１は、使用者によって表示装置１が曲げられた場合、曲げられた場所に応じて予め決められた速度でページ送りを行うものである。本発明の第１の実施形態の表示装置１は、曲げる場所に応じて、表示する情報のページ送りの速度を変えることができ、操作を行いやすい効果がある。
【００３９】
〔第２の実施形態〕
本発明の第２の実施形態の表示装置１１を図１、図２、図７および図８を参照して説明する。第２の実施形態の表示装置１１の発明に係る要部構成も、第１の実施形態の表示装置１と同様であり、図１により実施可能である。
【００４０】
第１の実施形態の表示装置１は、使用者によって表示装置１が左右方向に曲げられた場合に、圧力センサアレイ部４は曲げられた場所を検出して、制御部５は曲げられた場所に応じて予め決められた速度で表示部２に表示しているコンテンツのページ送りを行う実施形態であった。それに対して、第２の実施形態の表示装置１１は、表示装置１１が左右方向、上下方向、斜め方向のいずれの方向に曲げられても曲げられた方向へコンテンツのページ送りを行うことができる。
【００４１】
第２の実施形態の表示装置１１の有する圧力センサアレイ部４は、圧力センサ３をマトリックス状に配置しているため、表示装置１が左右方向、上下方向、斜め方向のいずれの方向に曲げられたのか検出することが可能である。以下に、圧力センサアレイ部４が、圧力センサ３を６行×５列に配置している場合（図２参照）を例として第２の実施形態の表示装置１１を説明する。
【００４２】
図７は、本発明の第２の実施形態の表示装置１１の動作を説明する図である。図７の上段は、表示装置１１が使用者によって曲げられた様子を示している。図７の中段は、図７の上段のように曲げられた場合に、圧力センサアレイ部４が圧力を検出している状態を示している。図７の中段では、説明のために圧力センサアレイ部４の６行×５列のマトリックスの各行に１から６の番号を付加し、各列にＡからＥのアルファベットを付加している。また圧力センサ３が所定の圧力を検出している状態を黒丸で図示し、検出していない状態を白丸で図示している。図７の下段は、表示装置１１の表示部２に表示されている電子書籍のページが送られる様子を示している。図７(ａ)は表示装置１１が左右方向に曲げられた場合にコンテンツのページ送りを行う様子を示し、図７(ｂ)は表示装置１１が上下方向に曲げられた場合にコンテンツのページ送りを行う様子を示し、図７(ｃ)は表示装置１１が斜め方向に曲げられた場合にコンテンツのページ送りを行う様子を示している。
【００４３】
図８は、本発明の第２の実施形態の表示装置１１の動作の一例を示すフロー図である。図１および図７を参照して、図８に示す第２の実施形態の表示装置１１の動作を説明する。なお本願のフロー図において、Ｓはステップを意味する。なお図８は、使用者は表示した電子書籍を既にある程度読み進んでいるが具体的なページは覚えておらず、ページ送りを行いながら読んでいない場所を探し、読書を開始する例を示す。
【００４４】
使用者が第２の実施形態の表示装置１１を起動し、記憶部６に格納された電子書籍などのコンテンツを表示部２へ表示する(図８で開始)。使用者が表示装置１１を曲げると(Ｓ１１)、圧力センサアレイ部４は、ステップＳ１２からステップＳ１５により、表示装置１の曲がる方向を検出する。
【００４５】
図７(ａ)では、横書きの電子書籍を表示している。図７(ａ)の場合、Ｂ１からＢ６の圧力センサ３がオンし(Ｓ１２)、圧力センサアレイ部４は、ひとつの列の全ての圧力センサ３がオンしたことを検出し、表示装置１が左右方向へ曲がったと判断し、制御部５に出力する(Ｓ１３でＹｅｓ)。制御部５は、ステップＳ１３で圧力センサアレイ部４から表示装置１１が左右方向に曲げられたことを受信し、表示部２を制御して曲げられた方向にページ送りを開始する(Ｓ１６)。このとき表示部２では、図７(ａ)の下段に示すように、表示されているコンテンツの表示装置１１が曲げられた場所の右側が送られるように表示する。横書きの電子書籍は、紙製の書籍における横書き左綴じの場合に相当する。このため横書きの電子書籍を表示している表示装置１１が左右方向へ曲げられた場合に、曲げられた場所の右側が送られるように表示することで、紙製の書籍を手でめくる場合に似た、視覚的に自然なページ送りを実現できる。表示装置１１の使用者が目的のページまでページを送り、曲げていた表示装置１１を開いた状態にすると、圧力センサ３はオフするので(Ｓ１７でＹｅｓ)、表示装置１１はページ送りを停止し(Ｓ１８)、本フローを終了する。ここで表示装置１１の使用者は、停止したページから読書を開始する。
【００４６】
なお図７(ａ)では、横書きの電子書籍を表示している場合を例として示したが、縦書きの電子書籍を表示している場合に、表示装置１１が左右方向へ曲げられた場合は、曲げられた場所の左側が送られるように表示する。縦書きの電子書籍は、紙製の書籍における縦書き右綴じの場合に相当する。このため縦書きの電子書籍を表示している表示装置１１が左右方向へ曲げられた場合に、曲げられた場所の左側が送られるように表示することで、紙製の書籍を手でめくる場合に似た、視覚的に自然なページ送りを実現できる。
【００４７】
図７(ｂ)では、縦書きまたは横書きの電子書籍を表示している。図７(ｂ)の場合、表示装置１１の圧力センサアレイ部４のＡ２、Ｂ２、Ｃ２、Ｄ２、Ｅ２すなわち２行目の圧力センサ３がオンし(Ｓ１２)、圧力センサアレイ部４は、ひとつの行の全ての圧力センサ３がオンしたことを検出し、表示装置１１が上下方向へ曲がったと判断し、制御部５に出力する(Ｓ１３でＮｏ、Ｓ１４でＹｅｓ)。制御部５は、ステップＳ１４で圧力センサアレイ部４から表示装置１が上下方向に曲げられたことを受信し、表示部２を制御して曲げられた方向にページ送りを開始する(Ｓ１６)。このとき表示部２では、図７(ｂ)の下段に示すように、表示されているコンテンツの表示装置１１が曲げられた場所の下側が送られるように表示する。これは表示装置１１が上下方向に曲げられ、曲げられた方向にページ送りを行う場合、曲げられた場所の下側を送ることで、上端が綴じられている紙製の書籍を手でめくる場合に似た、視覚的に自然なページ送りを実現できるためである。ステップＳ１６以降の処理は、図７(ａ)を説明した場合と同じなので説明を省略する。
【００４８】
図７(ｃ)では、縦書きまたは横書きの電子書籍を表示している。図７(ｃ)の場合、表示装置１１の圧力センサアレイ部４のＥ４、Ｄ５、Ｃ６の圧力センサ３がオンし(Ｓ１２)、圧力センサアレイ部４は、表示装置１１の縦または横に対して所定の角度の圧力センサ３がオンしていることを検出し、表示装置１１が斜め方向へ曲がったと判定し、制御部５に出力する(Ｓ１３およびＳ１４でＮｏ、Ｓ１５でＹｅｓ)。制御部５は、ステップＳ１４で圧力センサアレイ部４から表示装置１１が斜め方向に曲げられたことを受信し、表示部２を制御してページ送りを開始する(Ｓ１６)。このとき表示部２では、図７(ｃ)の下段に示すように、表示されているコンテンツの表示装置１が曲げられた場所の下側が送られるように表示する。これは表示装置１１が斜め方向に曲げられ、曲げられた方向にページ送りを行う場合、曲げられた場所の下側を送ることで、左上端が綴じられている紙製の書籍を手でめくる場合に似た、視覚的に自然なページ送りを実現できるためである。ステップＳ１６以降の処理は、図７(ａ)を説明した場合と同じなので説明を省略する。
【００４９】
第２の実施形態の表示装置１１に搭載される圧力センサアレイ部４は、圧力センサ３をマトリックス状に配置することにより表示装置１１の曲がりを検出するので、表示装置１１が左右方向、上下方向、斜め方向のいずれの方向に曲げられても表示装置１１が曲げられたことを検出することがでる。したがって、表示装置１１は、表示装置１１自身が曲げられたことと、コンテンツのページ送りとを連動させることが可能である。表示装置１１が左右方向、上下方向、斜め方向のいずれの方向に曲げられても、曲げられた方向へコンテンツのページ送りを行うことができるので、表示装置の利便性を向上することが可能になる。
【００５０】
なお上述した例では、表示装置１１が曲げられたと判定する基準は、例えば図３(ａ)のようにＢ列全ての圧力センサ３がオンした場合として説明した。これはＢ列の一部ではなく、Ｂ列の全ての圧力センサ３がオンした場合に表示装置１が曲がったと判定した方が、表示装置１の誤判定を低減できるからである。ただし、本願における表示装置１の曲がる場所の判定は、これに限定されない。ひとつの列の一部の圧力センサ３がオンした場合にも、表示装置１が曲がったと判定することは可能である。また圧力センサアレイ部４のマトリックスの数を増やした場合、複数の列のセンサがオンすることが考えられる。この場合、圧力センサアレイ部４は、オンした複数列の中心の列を表示装置１１の曲げられた場所と判別しても良いし、オンした複数列の左右いずれかの端の列を表示装置１１の曲げられた場所と判別しても良い。
【００５１】
図５は、第１の実施形態の表示装置１のページ送りおよびページ戻しを説明する図であるが、第２の実施形態の表示装置１１は、表示装置１と同様にページ送りおよびページ戻しを切換可能である。より具体的には、圧力センサアレイ部４は表示装置１１の曲がる方向を検出し、制御部５は表示装置１１の曲がる方向に応じて表示するコンテンツのページ送りとページ戻しを変更する。例えば、制御部５は、表示装置１１の左右を奥に曲げた場合（図５（ａ）参照）に、コンテンツのページの送りを行い、表示装置１１の左右を手前に曲げた場合（図５（ｂ）参照）には、コンテンツのページの戻しを行う。表示装置１１を上下方向および斜め方向に曲げた場合も、表示装置１１を水平方向に曲げた場合と同様に、制御部５は、奥に曲げた場合にコンテンツのページの送りを行い、手前に曲げた場合にコンテンツのページの戻しを行う。
【００５２】
図９および図１０は、本発明の第２の実施形態の表示装置１１の別の動作を説明する図である。本発明の第２の実施形態の表示装置１１は、第１の実施形態の表示装置１と同じ圧力センサアレイ部４を有している。圧力センサアレイ部４は、表示装置１１が曲がる方向を検出すると同時に、曲げられた場所を検出する。制御部５は、曲げられた場所に応じた速度でページを送ることが可能である。よって図９に示すように、第２の実施形態の表示装置１１は、表示装置１１が上下方向に曲げられる場合に、曲がる場所に応じてコンテンツのページ送りの速度を変更することが可能である。図９は、曲がる場所が表示装置１１の下端に近いほど、制御部５はページ送りの速度を遅く制御し、上端に近いほど、制御部５はページ送りの速度を速く制御する例を示している。
【００５３】
また、図１０に示すように、第２の実施形態の表示装置１１において、表示装置１１が斜め方向に曲げられる場合に、制御部５は、曲がる場所に応じてコンテンツのページ送りの速度を変更することが可能である。図１０は、表示装置１１が斜め方向に曲げられる場合に、曲がる場所が表示装置１１の右下端に近いほど、制御部５はページ送りの速度を遅く制御し、左上端に近いほどページ送りの速度を速く制御する例を示している。
【００５４】
また、第２の実施形態の表示装置１１においても、第１の実施形態の表示装置１と同様に、表示するコンテンツのページの送りとページの戻しを変更することが可能である。すなわち、制御部５は、表示装置１１の上下を奥側に曲げた場合にページ送りを行うように表示部２を制御し、表示装置１１の上下を手前に曲げた場合にページ戻しを行うように表示部２を制御するように構成されていてもよい。また、制御部５は、表示装置１１の左上および右下を奥側に曲げた場合にページ送りを行うように表示部２を制御し、表示装置１１の左上および右下を手前に曲げた場合にページ戻しを行うように表示部２を制御するように構成されていてもよい。
【００５５】
以上、説明したように本発明の第２の実施形態の表示装置１１は、使用者によって表示装置１１が左右方向、上下方向、斜め方向のいずれかの方向に曲げられた場合に、曲げられた方向へ表示しているコンテンツのページ送りまたはページ戻しを行うものである。表示装置１１は、どの方向に曲げられてもページ送りまたはページ戻しを行うことができるので、使用者の利便性を向上させる効果がある。
【００５６】
また、表示装置１１は、曲げられた場所に応じて予め決められた速度でページ送りまたはページ戻しを行うものである。本発明の第２の実施形態の表示装置１１は、表示装置を曲げる場所によってページ送りの速度を変更できるので、使用者の操作性を向上させる効果もある。
【００５７】
〔第３の実施形態〕
本発明の第３の実施形態の表示装置２１を図１および図１１を参照して説明する。第３の実施形態の表示装置２１の発明に係る要部構成も、第１の実施形態の表示装置１と同様であり、図１により実施可能である。
【００５８】
第１の実施形態の表示装置１および第２の実施形態の表示装置１１において、制御部５は、（ｉ）表示装置を奥側に曲げた場合にコンテンツのページ送りを行うように表示部２を制御し、（ｉｉ）表示装置を手前に曲げた場合にコンテンツのページ戻しを行うように表示部２を制御するように構成されている。それに対して、第３の実施形態の表示装置２１が備える制御部は、表示装置２１が手前に曲がったか奥に曲がったかの判定を行わずに、表示するコンテンツのページ送りまたはページ戻しを行うように表示部２を制御する実施形態である。
【００５９】
図１１を参照しながら、第３の実施形態の表示装置２１の動作を説明する。図１１は、表示装置２１が横書きの電子書籍を表示している様子を示している。第３の実施形態の表示装置２１が備える制御部は、図１１(ｄ)および(ｅ)に示すように、表示装置２１の略右側を左右方向に曲げられた場合、曲げられた場所に応じた速度でページを送りを行うように表示部２を制御する。図１１(ｃ)に示すように、表示装置２１が備える制御部は、表示装置２１の略中央付近を曲げられた場合、ページ送りまたはページ戻しを停止するように表示部２を制御する。図１１(ａ)および(ｂ)に示すように、表示装置２１が備える制御部は、表示装置２１の略左側が左右方向に曲げられた場合、曲げられた場所に応じた速度でページを戻しを行うように表示部２を制御する。いずれの場合においても、表示装置２１が備える圧力センサアレイは、表示装置２１の曲がっている位置のみを検出するものである。すなわち、表示装置２１が備える制御部は、表示装置２１の曲がっている方向（奥側または手前）に関わらずに、表示部２を制御する。
【００６０】
表示装置の右側が曲がるか左側が曲がるかによって、ページ送りまたはページ戻しを変更するように構成されている表示装置２１は、使用者の利便性を向上させる効果を奏する。
【００６１】
〔第４の実施形態〕
本発明の第４の実施形態に係る表示装置３１について、図１２および図１３を参照しながら説明する。図１２は、表示装置３１の構成の概略を示す図である。図１２（ａ）は表示装置３１の正面図であり、（ｂ）は表示装置３１の背面図である。なお、説明の便宜上、上記実施形態にて説明した部材と同じ機能を有する部材については、同じ符号を付記し、その説明を省略する。
【００６２】
表示装置３１は、上述した各実施形態に記載の表示装置と同様に、左右方向、上下方向および斜め方向うち、少なくともいずれかの方向に曲げられることによって、表示するコンテンツのページ送りまたはページ戻しを行う。以下では、表示装置３１の基本的な構成は、図１および図２に示される表示装置１と同じであるとして説明する。すなわち、表示装置３１は、表示部２、圧力センサ３、圧力センサアレイ４、制御部５、記憶部６および基体７を備えている。
【００６３】
図１２（ｂ）に示すように、表示装置３１は、その背面側にタッチセンサ３２を備えている点において、上記各実施形態に係る表示装置と異なる。タッチセンサ３２は、表示装置３１を曲げることによって実行されているページ送りまたはページ戻しを、一時停止または再開させるスイッチとして機能する。本実施形態において、表示装置３１は、２つのタッチセンサ３２として、タッチセンサ３２ａおよび３２ｂを備えている。タッチセンサ３２ａは、使用者が表示装置３１を左右方向に曲げている際に、いずれかの指を用いて容易に接触可能な位置に配置されている。また、タッチセンサ３２ｂは、使用者が表示装置３１を上下方向に曲げている際に、いずれかの指を用いて容易に接触可能な位置に配置されている。すなわち、タッチセンサ３２は、使用者の接触するという操作を受け付ける接触検出部である。タッチセンサ３２ａおよび３２ｂは、使用者が表示装置３１を曲げる操作をする際に誤って触れる可能性が低く、かつ、意図すれば容易に触れることが可能な場所に配置されていることが好ましい。
【００６４】
なお、表示装置３１は、少なくとも１つのタッチセンサ３２を備えていればよく、タッチセンサ３２が配置されている場所、および、タッチセンサ３２の数は、限定されるものではない。たとえば、表示装置３１は、左右方向に対称となる位置にそれぞれタッチセンサ３２ａを備え、上下方向に対象となる位置にそれぞれタッチセンサ３２ｂを備えていてもよい。このようにタッチセンサ３２ａおよび３２ｂが配置されていることによって、使用者は、右手および左手のいずれを用いても容易にいずれかのタッチセンサ３２に触れることができる。また、表示装置３１は、斜め方向に表示装置３１を曲げている際に、使用者が容易に触れることが可能な位置にタッチセンサ３２を備えていてもよい。
【００６５】
使用者は、表示装置３１を曲げることによって、表示部２が表示するコンテンツのページ送りまたはページ戻しを行う。例えば、コンテンツのページ送りを行っている最中に、使用者は、いずれかのタッチセンサ３２に触れることによって、コンテンツのページ送りを容易に、かつ、素早く一時停止させることができる。すなわち、表示装置３１は、使用者がページ送りを一時停止させたいと考え、実際にページ送りが一時停止するまでの時間を短縮可能である。上記の構成によれば、コンテンツをページ送りしている使用者が閲覧したい所望のページを発見した際に、使用者は、当該所望のページを表示している状態のままページ送りを容易に一時停止させることができる。その結果として、ページ送りの最中に、上記所望のページを発見したにも関わらず過度のページ送りが行われ、上記所望のページを表示させるためにページ戻しを行うといった状況を発生しづらくする。このように、表示装置３１は、使用者の使い勝手を向上させることができる。
【００６６】
また、表示装置３１が曲げられている状態であって、かつ、コンテンツのページ送りまたはページ戻しが一時停止されている状態において、使用者は、いずれかのタッチセンサ３２に触れることによって、ページ送りまたはページ戻しを再開させることができる。上記の構成によれば、例えばページ送りを一時停止させたが、そのページは閲覧した所望のページではなかったという場合に、使用者は、タッチセンサ３２に触れるだけの容易な操作によって、ページ送りを再開させることができる。ページ送りを再開させるために、表示装置を一度開いて（平らな状態に戻して）、再び曲げる操作が不要となるため、表示装置３１は、使用者の使い勝手を向上させることができる。
【００６７】
次に、図１３を参照しながら、表示装置３１における動作の一例を説明する。図１３は、表示装置３１の動作の一例を示すフロー図である。図１３に示すフローにおいて、ステップＳ３１〜Ｓ３４は、図４に示すステップＳ１〜Ｓ４に対応する。したがって、ここではその説明を省略する。
【００６８】
ステップ３４が終了した時点において、制御部５は、圧力センサアレイ４から取得する曲げられた場所に応じた速度によってページ送りを行うように、表示部２を制御している。
【００６９】
ステップＳ３５において、タッチセンサ３２は、その表面に接触するものがあるかをモニターし、接触を検出した場合には検出信号を制御部５に出力する。検出信号は、接触するという操作に対応付けられている検出信号である。本実施形態において、タッチセンサ３２の表面に接触するものは、使用者の指であると想定しているので、タッチセンサ３２は、その表面を使用者が触れたかを検出するとも言い換えられる。タッチセンサ３２が接触を検出しない場合（Ｓ３５においてＮｏ）、タッチセンサ３２は検出信号を出力しないため、制御部５は、そのままページ送りを続けるように表示部２を制御する。タッチセンサ３２が接触を検出した場合（Ｓ３５においてＹｅｓ）、タッチセンサ３２は、検出信号を制御部５に出力する。制御部５は、タッチセンサ３２から検出信号を取得すると、ページ送りを一時停止するように表示部２を制御する（Ｓ３６）。
【００７０】
ページ送りが一時停止されている間も、タッチセンサ３２は、その表面に接触するものがあるかをモニターする（Ｓ３７）。タッチセンサ３２が接触を検出しない場合（Ｓ３７においてＮｏ）、タッチセンサ３２は検出信号を出力しないため、制御部５は、そのままページ送りを一時停止しておくように表示部２を制御する。タッチセンサ３２が接触を検出した場合（Ｓ３７においてＹｅｓ）、タッチセンサ３２は、検出信号を制御部５に出力する。制御部５は、タッチセンサ３２から検出信号を取得すると、ページ送りを再開するように表示部２を制御する（Ｓ３８）。
【００７１】
ステップＳ３９およびＳ４０は、図４のステップＳ６およびＳ７に対応する。したがって、ここではその説明を省略する。
【００７２】
本実施形態においては、ページ送りの場合を例にして、タッチセンサ３２を介しての一時停止および再開のフローを説明したが、当該フローは、ページ戻しの場合にも適用可能である。
【００７３】
〔実施形態５〕
本発明の第５の実施形態に係る表示装置４１について、図１４および図１５を参照しながら説明する。図１４は、表示装置４１の動作の一例を説明する図である。なお、説明の便宜上、上記実施形態にて説明した部材と同じ機能を有する部材については、同じ符号を付記し、その説明を省略する。
【００７４】
表示装置４１は、第１〜第３の実施形態に記載の表示装置と同様に、左右方向、上下方向および斜め方向うち、少なくともいずれかの方向に曲げられることによって、表示するコンテンツのページ送りまたはページ戻しを行う。以下では、表示装置４１の基本的な構成は、図１および図２に示される表示装置１と同じであるとして説明する。すなわち、表示装置３１は、表示部２、圧力センサ３、圧力センサアレイ４、制御部５、記憶部６および基体７を備えている。
【００７５】
表示装置４１が左右方向に曲げられると、制御部５は、この曲げられている場所に応じた速度によってページ送りまたはページ戻しを行うように表示部２を制御する。本実施形態では、ページ送りを例に表示装置４１の動作を説明する。図１４の最上段に示す表示装置４１は、図３にの中段に示す表示装置１の状態に対応している。すなわち、表示装置４１の左端付近が曲げられ、Ａ列の１行から６行の圧力センサ３がオンになっている状態において、制御部５は、ページ送りの速度を、予め定められた速度のうち最も速い速度として、ページ送りを行うように表示部２を制御する。また、表示装置４１の曲げられている場所が表示装置４１の左端から右端へ近づいて行くほど、制御部５は、ページ送りの速度を遅くするように表示部２を制御する。
【００７６】
表示装置４１が備える圧力センサアレイ４は、上述のように曲げられている場所を検知することに加えて、曲げられている場所以外の領域においてオン状態になっている圧力センサ３の数を検出するように構成されている。曲げられている場所以外の領域においてオン状態になっている圧力センサ３は、表示部２における曲げられている場所以外の領域を、使用者が指によって触れることによって生じる。使用者が、表示部２における曲げられている場所以外の領域を１本の指によって触れれば、オン状態の圧力センサ３が１つ生じる。同様に、使用者が、２本の指によって触れればオン状態の圧力センサ３が２つ生じ、３本の指によって触れればオン状態の圧力センサ３が３つ生じる。
【００７７】
使用者が複数の指によって表示部２に触れる際、片手の指のみを用いて触れてもよいし、両手の指を用いて触れてもよい。本実施形態において、使用者が表示部２を介して圧力センサ３をオン状態にすることは、表示装置４１の外部から操作を入力することである。よって、複数の圧力センサ３がマトリックス状に配置されている圧力センサアレイ４は、接触検出部である。
【００７８】
圧力センサアレイ４は、曲げられている場所と、曲げられている場所以外の領域においてオン状態になっている圧力センサ３の数とを制御部５に出力する。以下において、曲げられている場所以外の領域においてオン状態になっている圧力センサ３の数を、接触点の数とも表現する。接触点の数は、使用者による外部からの接触に対応付けられている検出信号である。
【００７９】
図１４の最上段は、接触点の数が０である場合の表示装置４１を表す。この場合、制御部５は、ページ送りの速度が速いか遅いかに関わらず、１ページづつページ送りを行うように表示部２を制御する。以下において、ページ送りを行う際に単位となるページ数を、単位ページ数と表現する。すなわち、接触点の数が０であれば、単位ページ数は１である。
【００８０】
また、図１４の上から２段目は、接触点の数が１である場合の表示装置４１を表し、図１４の上から３段目は、接触点の数が２である場合の表示装置４１を表し、図１４の最下段は、接触点の数が３である場合の表示装置４１を表す。制御部５は、ページ送りの速度が速いか遅いかに関わらず、接触点の数が１であれば単位ページ数を１０とし、接触点の数が２であれば単位ページ数を２０とし、接触点の数が３であれば単位ページ数を３０としたうえで、ページ送りを行うように表示部２を制御する。
【００８１】
上記の構成によれば、表示装置４１は、コンテンツのページ送りを行う際に、ページ送りの速度および単位ページ数を、互いに独立に変更可能なように構成されている。ページ送りの速度および単位ページ数は、いずれも表示部２の遷移の様子に影響を与えるパラメータであるが、それぞれが表示部２の遷移の様子に与える影響は異なる。ページ送りの速度および単位ページ数を、互いに独立に変更可能なことによって、使用者は、自分の好みなどに応じて、表示部２の遷移の様子を変更することができる。言い換えれば表示装置４１は、ページ送りを行う際に、使用者の好みをより忠実に反映することができる。したがって、表示部４１は、閲覧するコンテンツから所望のページを探し出す際に、使用者の使い勝手を向上させることができる。
【００８２】
なお、表示装置４１において、接触点の数を変更するために使用者が表示部２のいずれの部分に触れるかは、図１４に示す例に限定されるものではない。また、本実施形態においては、接触点の数が最大３の例を用いて説明したが、最大の接触点の数は３に限定されるものではない。また、各接触点の数に対応付けられる単位ページ数も限定されるものではない。
【００８３】
また、制御部５は、ページ送りを行う際の単位ページ数と、ページ戻しを行う際の単位ページ数とが異なるページ数とを別個に設定可能なように構成されていてもよい。たとえば、接触点の数０〜３に対応する単位ページ数を、ページ送りを行う際には、１、１０、２０および３０ページと設定しておき、ページ戻しを行う際には、１、３、６および９ページと設定しておいてもよい。
【００８４】
次に、図１５を参照しながら、表示装置４１における動作の一例を説明する。図１５は、表示装置４１の動作の一例を示すフロー図である。図１５に示すフローにおいて、ステップＳ４１〜Ｓ４３は、図４に示すステップＳ１〜Ｓ３に対応する。したがって、ここではその説明を省略する。
【００８５】
ステップＳ４４において、制御部５は、圧力センサアレイ４から取得する曲げられた場所に応じた速度、および、定められた単位ページ数によってページ送りを行うように、表示部２を制御している。ページ送りを開始した際の単位ページ数は、適宜定めておけばよい。本実施形態では、ページ送りを開始した際の単位ページ数を１とする。
【００８６】
ステップＳ４５において、圧力センサアレイ４は、接触点の数を検出して制御部５に出力する。制御部５は、圧力センサアレイ４から取得する接触点の数が０であるか否かを判定する（Ｓ４６）。
【００８７】
接触点の数が０であれば（Ｓ４６においてＹｅｓ）、制御部５は、そのままページ送りを行うように表示部２を制御する。接触点の数が０でなければ（Ｓ４６においてＮｏ）、制御部５は、接触点の数に対応した定められた単位ページ数によってページ送りを行うように表示部２を制御する（Ｓ４７）。具体的には、制御部５は、接触点の数が１であれば単位ページ数を１０とし、接触点の数が２であれば単位ページ数を２０とし、接触点の数が３であれば単位ページ数を３０としてページ送りを行うように表示部２を制御する。
【００８８】
ステップＳ４８およびＳ４９は、図４のステップＳ６およびＳ７に対応する。したがって、ここではその説明を省略する。
【００８９】
本実施形態においては、ページ送りの場合を例にして、接触点の数に応じて単位ページ数を変更するフローを説明したが、当該フローは、ページ戻しの場合にも適用可能である。
【００９０】
〔まとめ〕
本発明の態様１に係る表示装置は、情報を表示する表示装置であって、情報を表示する表示部と、マトリックス状に配置した複数の圧力センサから成る圧力センサアレイ部と、表示する情報をページ送りする速度を制御する制御部とを備え、前記圧力センサアレイ部は、圧力の変化を前記表示装置の位置とともに、前記制御部へ出力し、前記制御部は、前記位置に応じた速度で、ページ送りを行う。
【００９１】
本発明の態様２に係る表示装置は、上記態様１において、前記制御部は、前記表示装置の曲がり位置が、前記表示装置の一端に近い位置である場合、表示する情報のページ送りの速度を速くし、他端に近い位置である場合、遅くすることが好ましい。
【００９２】
本発明の態様３に係る表示装置は、上記態様２において、前記圧力センサアレイ部は、前記表示装置が曲がる方向が、左右方向、上下方向、斜め方向のいずれの方向であっても、表示装置が曲がったことを検出可能であることが好ましい。
【００９３】
本発明の態様４に係る表示装置は、上記態様３において、前記圧力センサアレイ部は、前記表示装置の端が手前側に曲がるか奥に曲がるかによって、ページを送る方向を変更可能であることが好ましい。
【００９４】
本発明の態様５に係る表示方法は、情報を表示する表示ステップと、筺体の曲がりを検出する曲がり検出ステップと、表示する情報をスクロールする表示制御ステップを持つ表示装置において、前記曲がり検出ステップによって検出された筺体の曲がり場所に応じた速度で、表示する情報のページ送りを行う。
【００９５】
本発明の態様６に係る表示装置は、情報を表示する表示装置であって、前記表示装置は、情報を表示する表示部と、マトリックス状に配置した複数の圧力センサから成る圧力センサアレイ部と、情報の表示を制御する制御部とを備え、前記圧力センサアレイ部は、前記表示装置が曲がる方向が、左右方向、上下方向、斜め方向のいずれの方向であっても、表示装置が曲がったことを検出可能であり、前記制御部は、前記圧力センサアレイ部の検出に基づいて、前記表示装置が曲がる方向に表示する情報のページ送りを行う。
【００９６】
本発明の態様７に係る表示装置は、上記態様６において、前記表示装置の前記圧力センサアレイ部は、前記表示装置の曲がり位置を検出し、前記表示装置が曲がる方向が左右方向であり、表示する情報が横書きの場合、前記制御部は前記表示装置の曲がり位置の右側をページ送りし、表示する情報が縦書きの場合、前記制御部は前記表示装置の曲がり位置の左側をページ送りすることが好ましい。
【００９７】
本発明の態様８に係る表示装置は、上記態様７において、前記制御部は、前記圧力センサアレイ部の検出した前記曲がり位置に応じて決められた速度で、表示する情報のページ送りを行うことが好ましい。
【００９８】
本発明の態様９に係る表示装置は、上記態様８において、前記圧力センサアレイ部は、前記表示装置の端が手前側に曲がるか奥に曲がるかによって、ページを送る方向を変更可能であることが好ましい。
【００９９】
本発明の態様１０に係る表示方法は、情報を表示する表示ステップと、筺体の曲がりを検出する曲がり検出ステップと、表示する情報をスクロールする表示制御ステップを持つ表示装置において、前記曲がり検出ステップによる検出結果が、筺体が曲がる方向が左右方向、上下方向、斜め方向のいずれかの方向であった場合に、表示する情報のページ送りを行う。
【０１００】
本発明の態様１１に係る表示装置は、上記態様２から４および上記態様７から９のいずれか一態様において、外部からの接触を検出すると、当該接触に対応づけられている検出信号を出力する接触検出部を更に備え、前記制御部は、前記曲がり位置および前記接触検出部から取得する検出信号に応じた速度で、前記ページ送りを行うことが好ましい。
【０１０１】
上記の構成によれば、本発明の態様５に係る表示装置は、表示装置が曲げられたことを検知した際に、表示装置が曲がっている位置を制御部に出力する圧力センサアレイ部と、外部からの接触を検出すると当該接触に対応付けられている検出信号を制御部に出力する接触検出部とを備えている。制御部は、曲がっている位置、および、検出信号に応じて、ページ送りを行うように表示部を制御する。すなわち、使用者は、表示装置を曲げつつ接触検出部に触れるという単純な操作によって、ページ送りを操作することができる。したがって、上記表示装置は、使用者の使い勝手を向上させる効果を奏する。
【０１０２】
本発明の態様１２に係る表示装置は、上記態様１１において、制御部は、ページ送りを行うように表示部を制御している際に上記検出信号を取得すると、前記ページ送りを一時停止するように表示部を制御することが好ましい。
【０１０３】
上記の構成によれば、ページ送りしている使用者が閲覧したい所望のページを発見した際に、使用者は、当該所望のページを表示している状態のままページ送りを容易に一時停止させることができる。その結果として、ページ送りの最中に、上記所望のページを発見したにも関わらず過度のページ送りが行われ、上記所望のページを表示させるためにページ戻しを行うといった状況を発生しづらくする。このように、表示装置は、使用者の使い勝手を向上させることができる。
【０１０４】
本発明の態様１３に係る表示装置は、上記態様１２において、前記制御部は、前記ページ送りを一時停止するように制御している際に前記検出信号を取得すると、前記ページ送りを再開するように制御することが好ましい。
【０１０５】
上記の構成によれば、ページ送りを再開させるために、表示装置を一度開いて（平らな状態に戻して）、再び曲げる操作が不要となるため、表示装置は、使用者の使い勝手を向上させることができる。
【０１０６】
本発明の態様１４に係る表示装置は、上記態様１１において、前記接触検出部は、前記接触を検出すると、接触点の数を表す検出信号を出力し、前記制御部は、前記ページ送りを行うように前記表示部を制御している際に前記検出信号を取得すると、前記検出信号に対応付けられているページ数（単位ページ数）ごとに前記ページ送りを行うように制御することが好ましい。
【０１０７】
ページ送りの速度および単位ページ数は、いずれも表示部の遷移の様子に影響を与えるパラメータであるが、ページ送りに際して、それぞれが表示部の遷移の様子に与える影響は異なる。ページ送りの速度および単位ページ数を、互いに独立に変更可能なことによって、使用者は、自分の好みなどに応じて、表示部２の遷移の様子を変更することができる。言い換えれば、ページ送りを行う際に、使用者の好みをより忠実に反映することができる。したがって、上記の構成によれば、閲覧するコンテンツから所望のページを探し出す際に、使用者の使い勝手を向上させることができる。
【０１０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０９】
本発明は、表示装置に利用することが可能である。
【符号の説明】
【０１１０】
１、１１、２１、３１、４１  表示装置
２  表示部
３  圧力センサ
４  圧力センサアレイ
５  制御部
６  記憶部
７  基体
１０１  表示部
１０２  入力部
１０３  通信部
１０４  センサ情報読み取り部
１０５  音声出力部
１０６  演算部
１０７  ハードディスク等のデータ格納部
１０８  記憶部
１０９  情報閲覧プログラム
１１０  データフォルダ
１１１  Ｗｅｂブラウザ
１１２  インタネット網
１１３  ＷＷＷサーバ
１１４  コンテンツ管理サーバ
【図１】
0005531133.tif 000002
【図２】
0005531133.tif 000003
【図３】
0005531133.tif 000004
【図４】
0005531133.tif 000005
【図５】
0005531133.tif 000006
【図６】
0005531133.tif 000007
【図７】
0005531133.tif 000008
【図８】
0005531133.tif 000009
【図９】
0005531133.tif 000010
【図１０】
0005531133.tif 000011
【図１１】
0005531133.tif 000012
【図１２】
0005531133.tif 000013
【図１３】
0005531133.tif 000014
【図１４】
0005531133.tif 000015
【図１５】
0005531133.tif 000016
【図１６】
0005531133.tif 000017